(57)【特許請求の範囲】
【請求項１】
射出ヘッド(6a)と対向する開口を有する金型(2)内に位置決めされて加熱されたプリフォーム(3)から成形された熱可塑性容器内へと、第1及び第2の液体製品の付加により形成された液体最終製品として定義される所定体積の液体製品を供与する方法において、
前記プリフォーム(3)内に第2液体製品を射出して前記容器の膨張を引き起こすに先立ち、該方法は、少なくとも部分的に、前記プリフォーム(3)を前記第1液体製品により充填する段階を含み、
前記プリフォーム(3)は、該プリフォームを加熱する段階に先立ち、前記第1液体製品により充填される、ことを特徴とする供与方法。
【請求項２】
射出ヘッド(6a)と対向する開口を有する金型(2)内に位置決めされて加熱されたプリフォーム(3)から成形された熱可塑性容器内へと、第1及び第2の液体製品の付加により形成された液体最終製品として定義される所定体積の液体製品を供与する方法において、
前記プリフォーム(3)内に第2液体製品を射出して前記容器の膨張を引き起こすに先立ち、該方法は、少なくとも部分的に、前記プリフォーム(3)を前記第1液体製品により充填する段階を含み、
前記プリフォーム(3)は、該プリフォームが加熱されつつあるときに前記第1液体製品により充填される、ことを特徴とする供与方法。
【請求項３】
射出ヘッド(6a)と対向する開口を有する金型(2)内に位置決めされて加熱されたプリフォーム(3)から成形された熱可塑性容器内へと、第1及び第2の液体製品の付加により形成された液体最終製品として定義される所定体積の液体製品を供与する方法において、
前記プリフォーム(3)内に第2液体製品を射出して前記容器の膨張を引き起こすに先立ち、該方法は、少なくとも部分的に、前記プリフォーム(3)を前記第1液体製品により充填する段階を含み、
前記プリフォーム(3)は、前記金型(2)内への加熱済みプリフォームの移し換えの間に前記第1液体製品により充填される、ことを特徴とする供与方法。
【請求項４】
前記第1液体製品は前記液体最終製品の少なくとも一つの成分である、ことを特徴とする請求項１から請求項３のいずれか一つの請求項に記載の供与方法。
【請求項５】
前記第1液体製品は前記第2液体製品と同様である、ことを特徴とする請求項１から請求項４のいずれか一つの請求項に記載の供与方法。
【請求項６】
前記第1液体製品は前記液体最終製品と同様である、ことを特徴とする請求項１から請求項５のいずれか一つの請求項に記載の供与方法。
【請求項７】
前記プリフォーム内に充填された前記第1液体製品は、10℃〜100℃の温度を有する、ことを特徴とする請求項１から請求項６のいずれか一つの請求項に記載の供与方法。
【請求項８】
加熱されたプリフォーム(3)から成形された熱可塑性容器内へと、第1及び第2の液体製品の付加により形成された液体最終製品として定義される所定体積の液体製品を供与する装置であって、
前記プリフォーム(3)の口部(3a)に対するアクセスを残すべく前記プリフォーム(3)を囲繞する金型(2)と、
前記金型(2)内で前記プリフォーム(3)を延伸させる延伸手段(8)と、
前記金型(2)内で前記プリフォーム(3)の膨張を引き起こすことにより、ブロー及び充填された容器であって供与開口を備えるという容器を獲得するために、前記プリフォームの前記口部(3a)を通して前記第2液体製品を射出する射出手段(6)と、
を備える、という装置において、
該装置は、前記第2液体製品を前記プリフォーム内に射出して前記容器の膨張を引き起こすに先立ち、少なくとも部分的に、前記プリフォーム(3)を第1液体により充填するプリフォーム充填手段(10)であって、前記プリフォーム(3)を、前記金型(2)内への加熱済みプリフォームの移し換えの間に前記第1液体製品により充填するプリフォーム充填手段(10)を更に備える、ことを特徴とする装置。
【発明の詳細な説明】
【技術分野】
【０００１】
本発明は、ポリマ材料、特にポリエステルから作成された容器の製造分野に関する。更に詳細には、本発明は、液体を収容するポリエステル・ボトル、好適にはポリエチレン・テレフタレート(PET)ボトルの製造分野に関する。
本発明はまた、権利請求された供与方法に関連する装置にも関する。
【背景技術】
【０００２】
一般的に“プリフォーム(preform)”と称される実質的に管状のプラスチック・パリソンが金型のキャビティ内に配設されると共に、上記パリソンは該プリフォーム内への加圧流体の射出により上記キャビティの形状へと膨張される、というブロー成形法は知られている。この方法は、一貫して高品質である容器の迅速な作製に良く適している。
【０００３】
このプロセスの一般的な変形例は延伸ブロー成形であり、その場合、延伸ロッドが、プリフォーム内へと挿入されると共に、その内側表面に当接して付勢されることで、プリフォームをその長手軸心に沿って変形させる。このことは特に好適である、と言うのも、プリフォームの長手方向変形に関して相当の制御を及ぼすことで、単純な膨張のみによるよりも広範囲な容器の形状及びサイズの製造を可能とし得るからである。
【０００４】
典型的なブロー成形装置は、製造されるべき容器の形態の金型キャビティが内部に配備された金型を備える。プリフォームは、全体的に試験管を擬態する実質的に管状の形態であって、習用的には金型の上側表面に配設された孔を通して金型キャビティ内へと挿入されて金型内に少なくとも部分的に配設される、という形態で提供される。
【０００５】
習用のプロセスにおいては、延伸ブロー成形のために金型内に挿入されるに先立ち、プリフォームは(放射加熱手段を用いて)加熱されることで、容器の形成の間におけるそれの変形が促進される。高温のプリフォームは次に、取出されて、ブロー成形機の金型内へと搬送される。上記金型内に一旦位置決めされたプリフォームの温度は、それが延伸ブロー成形により成形され得るために、ガラス転移温度(約100℃)より高くあるべきである。
【０００６】
長年にわたり、市場で通常的に見られるPETボトルは、圧縮空気を用いてPETプリフォームのブロー成形もしくは延伸ブロー成形により製造されてきた。しかし最近、プリフォームのキャビティ内へと非圧縮性流体を射出することにより該プリフォームの膨張を行うことで該プリフォームを膨張させることが知られてきた。この新たなプロセスは、液体射出ブロー成形技術を用いる容器の“同時的成形／充填プロセス”として知られている。これは、成形プロセスに対して更に大きな程度の制御を提供すると共に、射出される液体が、容器内に詰められるべき製品であるときに、該プロセスは、成形及び充填の各段階を組み合わせてプロセス効率の相当の増進を実現し得る。
【０００７】
成形／充填プロセスにおいて非圧縮性流体を使用すると、幾つかのプロセス、特に、延伸ブロー成形されるべきプリフォームの調製のためのプロセスに対する再考に帰着する。
【０００８】
実際、プリフォームの加熱プロセス及び金型内への位置決めの間において、該プリフォームは空であり且つそのキャビティは空気で満杯である。上記空気の存在は、次続的な非圧縮性流体による延伸ブロー成形プロセスにおける問題を引き起こす。
【０００９】
上記問題は、例えば、液体射出段階の間に見出される。
【００１０】
実際、容器の形成及び充填に繋がる液体射出段階の間において、プリフォームのキャビティ内に捕捉された空気はスプリング手段として作用する、と言うのも、それは、プリフォーム内に液体が射出されるときに後者により圧縮され得るからである。そのとき、上記空気は金型の内側におけるプリフォームの膨張を阻害し、容器が成形されている間にその破壊に繋がり得る。
【発明の概要】
【発明が解決しようとする課題】
【００１１】
故に、本発明の目的は、上記に詳述された先行技術の不都合を解決するという、熱可塑性容器内へと所定体積の液体製品を供与する方法を提供するに在る。
【課題を解決するための手段】
【００１２】
この点に関し、本発明は、射出ヘッドと対向する開口を有する金型内に位置決めされて加熱されたプリフォームから成形された熱可塑性容器内へと、第1及び第2の液体製品の付加により形成された液体最終製品として定義される所定体積の液体製品を供与する方法において、上記プリフォーム内に第2液体製品を射出して上記容器の膨張を引き起こすに先立ち、該方法は、少なくとも部分的に、上記プリフォームを上記第1液体製品により充填する段階を含む、方法を提供する。
【００１３】
提案された方法に依れば、液体と充填されたボトルとにおいて捕捉される空気の存在を回避することが可能とされる。
【００１４】
このことは、液体射出段階の間におけるプリフォームの変形の更に良好な制御と、プリフォーム内に捕捉される空気のスプリング効果の回避とを許容するという点においても有用である。
【００１５】
好適実施形態において、上記プリフォームは、該プリフォームを加熱する上記段階に先立ち、上記第1液体製品により充填される。一例として、上記プリフォームは、該プリフォームが該プリフォームを加熱する加熱炉内に進入する前に充填される。この実施形態に依れば、プリフォームの容易な充填が許容される、と言うのも、上記充填段階は、プリフォームを加熱するために使用される加熱炉にプリフォームが進入する前に行われるからである。
【００１６】
可能的な実施形態において、上記プリフォームは、該プリフォームが加熱されつつあるときに充填される。例えば、上記プリフォームは、それが加熱炉内であり且つ加熱されつつある間に充填される。これによれば、プリフォームを充填するために加熱炉に一体化される単純なデバイスを想起することが可能とされる。
【００１７】
別の可能的な実施形態に依れば、上記プリフォームは、上記加熱炉から上記金型内への加熱済みプリフォームの移し換えの間に充填される。この特定の場合においては、プリフォームに第1液体を充填する様式も非常に単純である。
【００１８】
別の可能的な実施形態に依れば、上記プリフォームは、該プリフォームが液体射出ブロー成形装置の金型内に既に位置決めされながら、液体射出段階が行われる直前に、充填される。これによれば、上記プリフォームを最後の瞬間に充填すると共に、それが加熱されているときにそれに充填することが許容される。
【００１９】
更なる特徴に依れば、成形／充填プロセスに先立ち上記プリフォーム内に導入される上記第1液体は、上記液体最終製品の少なくとも一つの成分である。これにより、２種類の液体、すなわち、第1液体及び(プリフォームを膨張させるために使用される)第2液体製品で構成される液体最終製品として定義される最終的な飲料を獲得することで、例えばフレーバー飲料または着色飲料などの飲料の開発における複数の選択肢に帰着することが可能とされる。
【００２０】
更に詳細には、上記第1液体製品は上記第2液体製品と同様である。このことは有用である、と言うのも、２種類の液体は同一(同一の組成、密度など)なので相互に容易に混じり合うからである。
【００２１】
別の特徴に依れば、上記第1液体製品は上記液体最終製品と同様である。
【００２２】
別の特徴に依れば、上記プリフォーム内に充填された上記第1液体は、10℃〜100℃の温度を有する。このことは有用である、と言うのも、上記第1液体製品の温度は、液体最終製品の温度に従って選択され得るからである。更に詳細には、上記第1液体の温度は、それが導入される加熱済みプリフォームの温度と同様であるべく選択され得る。
【００２３】
本発明の別の目的に依れば、本発明は、
加熱されたプリフォームから成形された熱可塑性容器内へと、第1及び第2の液体製品の付加により形成された液体最終製品として定義される所定体積の液体製品を供与する装置であって、
上記プリフォームの口部に対するアクセスを残すべく上記プリフォームを囲繞する金型と、
上記金型内で上記プリフォームを延伸させる延伸手段と、
上記金型内で上記プリフォームの膨張を引き起こすことにより、ブロー及び充填された容器であって供与開口を備えるという容器を獲得するために、上記プリフォームの上記口部を通して上記第2液体製品を射出する射出手段と、
を備える、という装置において、
該装置は、上記第2液体製品を上記プリフォーム内に射出して上記容器の膨張を引き起こすに先立ち、少なくとも部分的に、上記プリフォームを第1液体により充填するプリフォーム充填手段を更に備える、
という装置を提供する。
【００２４】
本発明は更に、以下の例に関して記述される。権利請求された本発明は、この例に限定されることは決して意図されないことは理解される。
【００２５】
本発明は更に、以下の各例に関して記述される。権利請求された本発明は、これらの例に限定されることは決して意図されないことは理解される。
【００２６】
本発明の実施形態は次に、添付図面を参照し、例示的に記述される。
【図面の簡単な説明】
【００２７】
【図１】本発明の第１実施形態に係る、容器を同時的にブローかつ充填する装置の概略図である。
【図２】本発明の第２実施形態に係る、容器を同時的にブローかつ充填する装置の概略図である。
【発明を実施するための形態】
【００２８】
以下の説明で使用される如く、“備える”、“備えて成っている”という語句、及び、同様の語句は、排他的または網羅的な意味で解釈されるべきでない。換言すると、それらは、限定的なものとしてで無く、包含を意味することが意図される。
【００２９】
本明細書における先行技術文献に対する一切の参照は、斯かる先行技術が広く知られていること、または、当該分野における一般的で汎用的な知見の一部を構成することの是認であると見做されるべきではない。
【００３０】
図１は、本発明に従い、同時的ブロー／充填プロセスによりプリフォームから獲得された容器内に所定体積の液体製品を供与する方法が実現されたという装置1を概略的に示している。
【００３１】
液体最終製品としても定義される上記最終的容器内の液体は、例えば、水、フレーバー・ウォーター、炭酸含有液体製品などである。
【００３２】
上記液体最終製品は、第1及び第2の液体製品の付加により形成される。上記第2液体製品は、一段階による成形／充填プロセスの液体射出段階の間にプリフォーム内へと射出されるべき液体製品であり、且つ、上記第1液体製品は、上記液体射出段階に先立ち上記プリフォーム内へと導入される、本発明に係る液体製品である。
【００３３】
容器の液体射出ブロー成形に対して使用されるプリフォームは、本出願人の欧州特許第EP 1 529 620 B1号において開示された如く、先ず、型成形プロセスにより製造されてから、金型内に位置決めされる前に加熱される。
【００３４】
上記プリフォームは通常は、その底端部にて閉じられ且つその逆端部にては開放された円筒管材の形状を取る。
【００３５】
上記プリフォームは、例えば、ポリエチレン・テレフタレート(PET)などの熱可塑性ポリマで作成され得る。
【００３６】
図１において表された如く、装置1は、プリフォーム3を囲繞するキャビティ4を画成するブロー金型2と、液体射出回路5と、プリフォーム3内へと液体を射出して(不図示の)容器を同時的に形成かつ充填する射出手段6とを備える。
【００３７】
金型2は、例えば、その２つの部分または側部半体が、相互に組立てられたときに内側キャビティ4を画成するという二部材式金型である。表現を容易とするため、図１には金型2の半体2aのみが示される。
【００３８】
プリフォーム3が金型2内に位置決めされるべきとき、先ず(図面中には示されない)移動手段の動作下で、２つの側部半体は、それらの間にプリフォーム3を挿入するために、相互から離間される。
【００３９】
次に、２つの側部半体は、接合平面に沿い接触するために、相互に向けて戻し移動される。
【００４０】
プリフォーム3は、本発明に係るブロー／充填段階の前に、キャビティ4内へと挿入される。
【００４１】
プリフォーム3が金型2内に一旦位置決めされたなら、該プリフォームの開放端部のみが金型2の上方から視認可能である。
【００４２】
上記キャビティの形状は、達成される容器の形状に対応し、且つ、それは全体的に、ブロー／充填方法の終了時において形成された容器により占有される。
【００４３】
金型2は代替的に、製造プロセスに依存して、２つより多い部材で構成され得ることを銘記されたい。
【００４４】
例えば、内側キャビティ底部の少なくとも一部を画成するために、上記金型の底部に第3の部材(基礎または底部の部材)が付加され得る。
【００４５】
(その一部のみが示される)液体射出回路5は、射出手段6に対して液体を提供する。
【００４６】
射出手段6は射出ヘッド6aを備え、該ヘッドは、金型2及びプリフォーム3に対して(液密目的で)シール接触すると共に、射出ノズル7介してプリフォーム3内へと液体を射出する。
【００４７】
装置1はまた、液体射出段階に先立ちまたはそれに対して時間シフトされて、金型2内に囲繞されたときにおけるプリフォーム3を延伸する延伸手段8も備える。
【００４８】
延伸手段8は、射出ノズル7と摺動接触する延伸ロッド9を備える。図１において、該延伸ロッド9は、使用される前の縮動位置に在る。
【００４９】
本発明に依れば、上記プリフォーム内へと第2液体製品を射出するに先立ち、該プリフォームは、少なくとも部分的に第1液体により充填される。
【００５０】
故に、上記装置は、上記プリフォームを第1液体により少なくとも部分的に充填するために、プリフォーム充填手段10を更に備える。
【００５１】
プリフォーム充填手段10は、充填器11、及び、(不図示の)関連する液体充填回路を備える。
【００５２】
充填器11は、瓶詰め技術において使用され且つ当業者に公知である充填器である。それは、詳細には記述も図示もされない。概略的表示のみが提案される。
【００５３】
本実施形態において、プリフォーム3は、上記金型内に位置決めされるに先立ち、第1液体が充填される。
【００５４】
好適には、上記プリフォームは、該プリフォームを加熱する前に充填される。
【００５５】
典型的なブロー成形プロセスにおいて、プリフォームは先ず、概略的に、加熱炉、放射加熱器、または、任意の等価的なデバイスの使用により、事前加熱される。上記プリフォームが加熱される温度は、材料のガラス転移温度より高い温度である。これにより、プリフォームは軟質で柔軟とされることから、金型の各凹所内へと流動し得る。故に、ブロー成形プロセスの作業温度は、使用される材料の特性に依存し、75℃〜135℃の範囲である。
【００５６】
図１において、加熱手段13は、プリフォーム3の丈に沿って位置された赤外線ランプ14を使用している。
【００５７】
提案された実施形態は、プリフォーム及び第1液体を同時に加熱すると共に、全体の温度を均一化することを許容する。
【００５８】
故に、上記プロセスは、以下の各段階を提供する：
段階Ａ：プリフォーム3は第1液体で充填され；
段階Ｂ：第1液体が充填されたプリフォーム3は、ポリマをそのガラス状温度に接近させるために、加熱され；
段階Ｃ：第1液体が充填されたプリフォーム3は、金型2のキャビティ4内へと移し換えられ；且つ、
段階Ｄ：第2液体製品を用いて、液体射出段階が行われると共に、プリフォーム3はブロー成形される。
【００５９】
故に、段階Ｄの間において、射出流体として使用された第2液体製品は、最初から上記プリフォーム内に在る第1液体と混じり合う。
【００６０】
第1液体に対する第2液体製品の有効な混じり合いを実現するために、上記第1液体は好適には、第2液体製品と同様である。この場合、混じり合いは完全である。例えば、上記第2液体製品及び上記第1液体は、両方ともに水である。
【００６１】
別の特徴に依れば、上記第1液体は、液体最終製品の少なくとも一つの成分である。例えば、上記第1液体はフレーバ濃縮物であり且つ第2液体製品は水であり得ると共に、結果的な液体最終製品はフレーバー・ウォーターである。
【００６２】
上述の特性に加え、上記第1液体は、液体最終製品の酸化の回避に寄与する抗酸化特性を有する。
【００６３】
更に、上記プリフォームはポリマ材料のガラス状温度付近の温度に維持されるべきであるが、実施された上記プロセスに依れば、例えばプリフォームが冷めることでプロセスが阻害されることを回避する様に上記第1液体の温度を選択することは興味深い。
【００６４】
故に、上記プリフォーム内に充填された第1液体の温度は、10℃〜100℃の温度を有すべく選択され得る。
【００６５】
上記第1液体をプリフォームに充填するタイミングに関しては、充填された容器の製造ラインに従い、幾つかの選択肢が考えられ得る。
【００６６】
(示されない)本発明の別実施形態に依れば、上記プリフォームは、該プリフォームが加熱されつつあるときに充填される。故に、(先に定義された)段階Ａ及びＢは、同時に処理される。それにより、特に、第1液体が、プリフォームの材料のガラス状温度と同様の温度に在るならば、上記プロセスの時間が節約される。
【００６７】
(示されない)本発明の更なる実施形態に依れば、プリフォームは、金型内への加熱済みプリフォームの移し換えの間に充填され；段階Ｂは段階Ａの前に行われ、且つ、段階Ａ及びＣは同時に処理される。
【００６８】
(示されない)本発明の更なる実施形態に依れば、プリフォームは、液体射出段階が行われる直前に充填される。
【００６９】
容器の同時的な成形及び充填を企図する液体射出ブロー成形プロセスの間において使用されるポンプ、バルブ・デバイス及び制御手段は、示されず且つ詳述されないが、当業者の知見の一部である。
【００７０】
容器が一旦形成されたなら、上記金型は、該金型から容器を解放するために、２つの金型側部半体を相互から離間移動することにより、開かれる。
【００７１】
上記金型を開く前に、上記容器は(示されない)キャップ装着ヘッドによりキャップ装着される。上記キャップ装着ヘッドは、上記射出ブロー成形装置内に直接的に一体化され得る。
【００７２】
代替的に、上記容器は、上記金型からの該容器の解放の後でキャップ装着され得る。
【００７３】
図２は、本発明の第２実施形態に従い、プリフォームが金型内に配設されながら、該プリフォームが第1液体で充填されるという同時的ブロー／充填プロセスによりプリフォームから獲得された容器内に所定体積の液体最終製品を供与する方法が実現されたという装置1を概略的に示している。
【００７４】
図２の装置は、加熱されたプリフォーム3が金型2内に配設されながら、液体射出段階が行われる直前に該プリフォームが充填されることを除き、同一の参照番号及び同一の動作プロセスを以て、図１の装置と同様である。
【００７５】
図２は、当該プリフォームのネック3bが金型2の上面上に着座して金型2内に位置決めされたプリフォーム3を示している。
【００７６】
この第２実施形態において、プリフォーム充填手段10は、射出手段6を備えるデバイスに対して一体化される。
【００７７】
プリフォーム充填手段10は、充填器11と、該充填器11内に格納された第1液体をプリフォーム3へともたらすための液体充填回路12とを備える。
【００７８】
液体充填回路12は、射出ノズル7の近傍に位置されるか、または、射出ノズル7に一体化され得る。
【００７９】
射出ノズル7に液体充填回路12を一体化すると、サイズが減少されたデバイスに帰着する。
【００８０】
この実施形態において、プリフォーム3は、習用的に加熱され、且つ、(第１実施形態のものと同様である)金型2内に位置決めされる。本発明に依れば、プリフォーム3は、第2液体が該プリフォーム内に射出されることでそれが金型キャビティ4内で膨張して最終的容器を形成するという液体射出段階に先立ち、第1液体で充填される。
【００８１】
第１実施形態の枠組みにおいて言及された如く、上記第1液体は、作業プロセスに従い(10℃〜100℃に)加熱され得る。
【００８２】
上記第1液体は、図１の実施形態の枠組みにおいて示されたものと同一の特性を有する。
【００８３】
本発明は例示的にのみ記述されてきたが、各請求項に定義された本発明の有効範囲から逸脱せずに、変形例及び改変例が為され得ることを理解すべきである。更に、特定の特徴に対して公知の均等物が存在する場合、斯かる均等物は、本明細書において特に言及された如く援用される。
本明細書に開示される発明は以下の態様を含む。
〔態様１〕
射出ヘッド(6a)と対向する開口を有する金型(2)内に位置決めされて加熱されたプリフォーム(3)から成形された熱可塑性容器内へと、第1及び第2の液体製品の付加により形成された液体最終製品として定義される所定体積の液体製品を供与する方法において、
前記プリフォーム(3)内に第2液体製品を射出して前記容器の膨張を引き起こすに先立ち、該方法は、少なくとも部分的に、前記プリフォーム(3)を前記第1液体製品により充填する段階を含む、ことを特徴とする方法。
〔態様２〕
前記プリフォーム(3)は、該プリフォームを加熱する前記段階に先立ち、前記第1液体製品により充填される、ことを特徴とする態様１に記載の供与方法。
〔態様３〕
前記プリフォーム(3)は、該プリフォームが加熱されつつあるときに前記第1液体製品により充填される、ことを特徴とする態様１に記載の供与方法。
〔態様４〕
前記プリフォーム(3)は、前記金型(2)内への加熱済みプリフォームの移し換えの間に前記第1液体製品により充填される、ことを特徴とする態様１に記載の供与方法。
〔態様５〕
前記プリフォーム(3)は、加熱済みプリフォームが前記金型(2)内に配設されながら、前記液体射出段階が行われる直前に、前記第1液体製品により充填される、ことを特徴とする態様１に記載の供与方法。
〔態様６〕
前記第1液体製品は前記液体最終製品の少なくとも一つの成分である、ことを特徴とする態様１から態様５のいずれか一つの態様に記載の供与方法。
〔態様７〕
前記第1液体製品は前記第2液体製品と同様である、ことを特徴とする態様１から態様６のいずれか一つの態様に記載の供与方法。
〔態様８〕
前記第1液体製品は前記液体最終製品と同様である、ことを特徴とする態様１から態様７のいずれか一つの態様に記載の供与方法。
〔態様９〕
前記プリフォーム内に充填された前記第1液体製品は、10℃〜100℃の温度を有する、ことを特徴とする態様１から態様８のいずれか一つの態様に記載の供与方法。
〔態様１０〕
加熱されたプリフォーム(3)から成形された熱可塑性容器内へと、第1及び第2の液体製品の付加により形成された液体最終製品として定義される所定体積の液体製品を供与する装置であって、
前記プリフォーム(3)の口部(3a)に対するアクセスを残すべく前記プリフォーム(3)を囲繞する金型(2)と、
前記金型(2)内で前記プリフォーム(3)を延伸させる延伸手段(8)と、
前記金型(2)内で前記プリフォーム(3)の膨張を引き起こすことにより、ブロー及び充填された容器であって供与開口を備えるという容器を獲得するために、前記プリフォームの前記口部(3a)を通して前記第2液体製品を射出する射出手段(6)と、
を備える、という装置において、
該装置は、前記第2液体製品を前記プリフォーム内に射出して前記容器の膨張を引き起こすに先立ち、少なくとも部分的に、前記プリフォーム(3)を第1液体により充填するプリフォーム充填手段(10)を更に備える、ことを特徴とする装置。
【図１】
0006633517.tif 000002
【図２】
0006633517.tif 000003